(57)【特許請求の範囲】
【請求項１】
機体の外郭をなす矩形状の外枠と、複数種の遊技機構成部材が搭載セットされ、前記外枠の開口前面側に開閉及び着脱自在に取り付けられる中枠と、前記中枠の前面側に装着される上球皿を備える遊技機の遊技機用スピーカシステムにおいて、
前記上球皿は、正面からみて横幅が広く正面視略直方形状を成すとともに前面側へ膨出するように湾曲して形成され、当該上球皿の内部に、密閉型の構造をなす第１エンクロージャとバスレフダクトが内部に形成されるバスレフ型の構造をなす第２エンクロージャによって構成されるスピーカ収容部が形成され、
当該スピーカ収容部の前面部を構成する上球皿カバー部材には、
前記第１エンクロージャ内に配設されるように中高音用スピーカユニットが、その中高音用スピーカユニットの前面部を機表側であって遊技者方向に向けるようにして取り付けられる一方、前記第２エンクロージャ内に配設されるように中低音用スピーカユニットが、その中低音用スピーカユニットの前面部を機表側であって遊技者方向に向けるようにして取り付けられ、各スピーカユニットの前面部に対応する位置には音放出口が形成されているとともに、当該音放出口とは別に前記第２エンクロージャの内部に延長屈折して迷路状に形成されたバスレフダクトに連通されるバスレフポートが開口形成され、
前記バスレフダクトは、上球皿内部の左右方向においてほぼ中央で且つ第１エンクロージャ内に配設される中高音用スピーカユニットと第２エンクロージャ内に配設される中低音用スピーカユニットとの間に形成されており、
前記バスレフポートは、前記第１エンクロージャ内に配設されるように上球皿カバー部材に取り付けられる中高音用スピーカユニットと、前記第２エンクロージャ内に配設されるように上球皿カバー部材に取り付けられる中低音用スピーカユニットの間に形成されている遊技機用スピーカシステム。
【請求項２】
各音放出口は、前記上球皿の左右方向において等分位置に形成されている請求項１に記載の遊技機用スピーカシステム。
【発明の詳細な説明】
【０００１】
【発明の属する技術分野】
本発明は、遊技機用スピーカシステムに関するものである。
【０００２】
【従来の技術】
一般に、パチンコ機等の遊技機においては、遊技機の機内部に、各種遊技状態に応じて様々な効果音（入賞音等）を発するための遊技機用スピーカ装置が装備されている。即ち、遊技機において機体の外郭をなす外枠内には、遊技機の搭載枠とも称される中枠（内枠ともいう）が設置され、この中枠の前面側下部に前記スピーカ装置は配設されている。ところで、このスピーカ装置が配設される中枠の前面側下部には、機表側の上球皿及び下球皿へ機裏側の球払出装置から遊技球を夫々排出するための各球排出口が形成される他に、発射レール等も配設される。そのため、前記スピーカ装置の配設スペースは限られたものとされ、その結果、前記スピーカ装置には、従来から、小型のスピーカユニットが使用されていた。
【０００３】
その一方、近時においては、遊技機における興趣を高める一環として、スピーカ装置から発せられる音の高音質化が希求されている。しかし、前述したような小型のスピーカユニットでは、いくらスピーカユニットの性能が年々向上しているとはいえ、その特性上、低音の迫力が十分ではなく、その音質は、決して遊技者を満足させるものではなかった。
【０００４】
そこで、このような事情に鑑みて、例えば特開平８−１９６３８号公報に示すようなスピーカシステムが提案されている。即ち、この公報に記載のスピーカシステムでは、遊技機の機内部にではなく、スペース的に比較的余裕がある遊技機の機外後方にスピーカユニットを収容したスピーカボックスを配設する構成としている。そして、遊技機における中枠を前後方向へ貫通するように形成されたダクトを介して前記スピーカユニットからの効果音等を機表側に形成された音放出口から放出するようにしている。従って、この公報に記載のスピーカシステムによれば、スピーカユニットを機内部に装備しないため、スピーカユニットの大型化を実現でき、再生帯域を広げることで高音質化を図ることも可能とされていた。
【０００５】
【発明が解決しようとする課題】
しかしながら、上記公報に記載のスピーカシステムでは、スピーカユニットを収容するスピーカボックスが遊技機の機外後方に遊技機とは別体の構成で配設されているため、次のような問題があった。即ち、遊技機において機外後方に面する機裏側には、各種の制御基板及び球払出装置等の遊技機構成部材が配設されている。そして、これらの遊技機構成部材については、定期・不定期を問わず、頻繁に部材交換等のメンテナンス作業を行うことがある。そのため、前述したように、遊技機の機外後方に遊技機とは別体構成のスピーカボックスが配設されていると、遊技機における機裏側のメンテナンス作業がしづらいという問題があった。
【０００６】
本発明は上記問題点を解決するためになされたものであり、その目的は、遊技機における機裏側のメンテナンス作業に支障を与えることなく、当該遊技機が備えるスピーカ装置の高音質化を図ることができる遊技機用スピーカシステムを提供することにある。
【０００７】
【課題を解決するための手段】
上記問題点を解決するために、請求項１に記載の発明は、機体の外郭をなす矩形状の外枠と、複数種の遊技機構成部材が搭載セットされ、前記外枠の開口前面側に開閉及び着脱自在に取り付けられる中枠と、前記中枠の前面側に装着される上球皿を備える遊技機の遊技機用スピーカシステムにおいて、前記上球皿は、正面からみて横幅が広く正面視略直方形状を成すとともに前面側へ膨出するように湾曲して形成され、当該上球皿の内部に、密閉型の構造をなす第１エンクロージャとバスレフダクトが内部に形成されるバスレフ型の構造をなす第２エンクロージャによって構成されるスピーカ収容部が形成され、当該スピーカ収容部の前面部を構成する上球皿カバー部材には、前記第１エンクロージャ内に配設されるように中高音用スピーカユニットが、その中高音用スピーカユニットの前面部を機表側であって遊技者方向に向けるようにして取り付けられる一方、前記第２エンクロージャ内に配設されるように中低音用スピーカユニットが、その中低音用スピーカユニットの前面部を機表側であって遊技者方向に向けるようにして取り付けられ、各スピーカユニットの前面部に対応する位置には音放出口が形成されているとともに、当該音放出口とは別に前記第２エンクロージャの内部に延長屈折して迷路状に形成されたバスレフダクトに連通されるバスレフポートが開口形成され、前記バスレフダクトは、上球皿内部の左右方向においてほぼ中央で且つ第１エンクロージャ内に配設される中高音用スピーカユニットと第２エンクロージャ内に配設される中低音用スピーカユニットとの間に形成されており、前記バスレフポートは、前記第１エンクロージャ内に配設されるように上球皿カバー部材に取り付けられる中高音用スピーカユニットと、前記第２エンクロージャ内に配設されるように上球皿カバー部材に取り付けられる中低音用スピーカユニットの間に形成されていることを要旨とする。
【０００８】
請求項２に記載の発明は、請求項１に記載の遊技機用スピーカシステムにおいて、各音放出口は、前記上球皿の左右方向において等分位置に形成されていることを要旨とする。
【００１１】
【発明の実施の形態】
（第１実施形態）
以下、本発明をパチンコ遊技機（以下、「遊技機」という）における遊技機用スピーカシステムに具体化した第１実施形態を図１〜図５に従って説明する。
【００１２】
図１に略示するように、本実施形態に係る遊技機１０は機体の外郭をなす正面視縦矩形枠状の外枠１１を備えている。そして、この外枠１１の開口前面側には複数種の遊技機構成部材を搭載セットした縦長方形状の中枠１２が開閉及び着脱自在に組み付けられている。中枠１２の前面側には、機内部に配置された遊技盤１３を透視保護するためのガラス枠を備えた前枠１４が横開き状態で開閉可能に組付け整合されており、この前枠１４の下側には、上球皿１５が中枠１２に対して横開き状態で開閉可能に組付け整合されている。また、中枠１２の前面側において、前記上球皿１５の組み付け整合領域よりも下方には、打球発射装置１６と下球皿１７が装着されている。
【００１３】
前記上球皿１５は、全体が合成樹脂にて形成されおり、正面から見て横幅が広く、正面視略長方形状をなしている。そして、上球皿１５は、図２及び図３に示すように、皿部材３１、上球皿カバー部材３２、保持板３３及び底板３４からその概要は構成されている。前記皿部材３１は、上球皿１５の上面部を構成し、機内から払い出される遊技球を貯留するようになっている。上球皿カバー部材３２は、上球皿１５の前面部を構成する板材であり、前面側へ膨出するように湾曲して形成されている。また、保持板３３は、上球皿１５の裏面部を構成し、平板状に形成されている。この結果、上球皿１５は、前記皿部材３１、上球皿カバー部材３２、保持板３３、底板３４により囲まれた内部が中空状をなすように形成されている。
【００１４】
前記上球皿１５の前面部、即ち上球皿カバー部材３２には、図１に示すように、正面から見て当該上球皿カバー部材３２の左右方向長さをほぼ三等分する二箇所に多数の小孔からなる第１音放出口１９と第２音放出口２０が形成されている。また、前記両音放出口１９，２０のうち左側に位置する第１音放出口１９の右側近傍には、多数の小孔からなる第３音放出口２１がバスレフポートとして機能するように形成されている。そして、図３に略示するように、中空状の上球皿１５の内部であって、前記上球皿カバー部材３２の裏面側には、複数（本実施形態では２つ）のエンクロージャＥ１，Ｅ２が、前記上球皿カバー部材３２と区画壁２２により形成されている。本実施形態においては、上球皿１５の内部、特にエンクロージャＥ１，Ｅ２がスピーカ収容部に相当し、上球皿１５の内部が所定部位に相当する。なお、図３に示す上球皿１５の断面図において、前記第１〜第３音放出口１９，２０，２１は図示略されている。また、前記上球皿カバー部材３２がスピーカ収容部の前面側に相当する。
【００１５】
前記各エンクロージャＥ１，Ｅ２のうち図３で左側の第１エンクロージャＥ１内には、前面部（振動板のある側）が円形をなし、コーン形スピーカの第１スピーカユニット２３が配設されて第１スピーカ装置Ｓ１を構築している。なお、以下の説明においては「スピーカユニット」のことを「スピーカ」ともいう。前記第１スピーカ２３は中音及び高音を好適に再生可能な中高音用スピーカユニットであり、その前面部には当該スピーカ２３から発せられる音声の通過を許容する合成繊維素材からなる保護カバー２４が被覆されている。そして、この保護カバー２４が被覆されてなる第１スピーカ２３は当該スピーカ２３の前面部が前記第１音放出口１９に位置合わせされた状態で上球皿カバー部材３２の裏面側に装着されている。そのため、前記第１スピーカ２３の前面部は第１音放出口１９を介して遊技機１０外部の大気と直接接触していることになり、スピーカ２３からの再生音を篭もらせることなく、高音質にして再生出力できる。また、前記保護カバー２４により、第１スピーカ２３の前面部を音質の低下を招くことなく好適に保護することができる。
【００１６】
前記第１スピーカ２３が上球皿カバー部材３２の裏面側に装着された状態において、第１エンクロージャＥ１は、第１音放出口１９以外には音出口がなく、全体として箱体形状をなした密閉型エンクロージャ構造とされる。なお、第１エンクロージャＥ１の容量は適正容量となるように所定の計算式に従って設計されている。また、このような密閉型エンクロージャ構造をなすスピーカ収容部（エンクロージャ）にスピーカユニットを内包した形態のスピーカ装置のことを、一般に、密閉型スピーカと呼んでいる。そして、本実施形態では、前記第１スピーカ装置Ｓ１を密閉型スピーカとして構成している。
【００１７】
一方、図３で右側の第２エンクロージャＥ２内にはコーン形スピーカの第２スピーカユニット２５が配設されて第２スピーカ装置Ｓ２を構築している。第２スピーカ２５は、第１スピーカ２３よりも再生帯域が低い中音及び低音を好適に再生可能な中低音用スピーカユニットであり、前面部が横長の横長型スピーカユニットとされている。また、その前面部には当該スピーカ２５から発せられる音声の通過を許容する合成繊維素材からなる保護カバー２６が被覆されている。そして、この保護カバー２６が被覆されてなる第２スピーカ２５は当該スピーカ２５の前面部が前記第２音放出口２０に位置合わせされた状態で上球皿カバー部材３２の裏面側に装着されている。そのため、前記第２スピーカ２５の前面部は第２音放出口２０を介して遊技機１０外部の大気と直接接触していることになり、スピーカ２５からの再生音を篭もらせることなく、高音質にして再生出力できる。また、前記保護カバー２６により、第２スピーカ２５の前面部を音質の低下を招くことなく好適に保護することができる。なお、低音を好適に再生可能な前記第２スピーカが低音用スピーカユニットに相当する。
【００１８】
また、図３に示すように、前記第２エンクロージャＥ２は第１エンクロージャＥ１よりも容量が大きく構成されている。そして、この第２エンクロージャＥ２内には前記第２スピーカ２５の背面近傍位置から前記第３音放出口２１に連なるバスレフダクト（共鳴管ともいう）２７が区画壁２２により延長屈折した迷路状のダクト構造をなすように形成されている。そのため、前記第２スピーカ２５の背面部はバスレフダクト２７及び第３音放出口２１を介して遊技機１０外部の大気と直接接触していることになり、バスレフダクト２７を介して出力される音声を篭もらせることなく、高音質にして再生出力できる。
【００１９】
従って、この第２スピーカ２５が上球皿カバー部材３２の裏面側に装着された状態において、第２エンクロージャＥ２は、バスレフポートたる第３音放出口２１に連通するバスレフダクト２７が内部に形成され、全体として箱体形状をなしたバスレフ型エンクロージャ構造とされる。なお、第２エンクロージャＥ２の容量については低音再生のための適正容量となるように設計されている。但し、第１エンクロージャＥ１の場合に比して容量設計の自由度は高い。また、このようなバスレフ型エンクロージャ構造のスピーカ収容部（エンクロージャ）にスピーカユニットを内包した形態のスピーカ装置のことを、一般に、バスレフ形スピーカ（位相反転形スピーカ）と呼んでいる。そして、本実施形態では、前記第２スピーカ装置Ｓ２をバスレフ形スピーカ（位相反転形スピーカ）として構成している。
【００２０】
ここで、膨出形成された上球皿１５の内部は、遊技機構成部材が多く配設された中枠１２の前面側下部よりも、スペース的な制約をそれほど受けることがない。従って、上球皿１５内に配設される各スピーカ２３，２５には低域再生帯域が広い比較的大型のスピーカを採用することができ、第１及び第２スピーカ装置Ｓ１，Ｓ２からは高音質の音声を再生出力可能になる。また、上球皿１５の内部は、スペース的な制約をそれほど受けることがないため、エンクロージャＥ１，Ｅ２を大きく形成したい場合も、容易に実現できる。さらに、中低音を再生出力する第２スピーカユニット２５として、前面部が横長の横長型スピーカユニットを用いているため、横幅が広く正面視略長方形状の上球皿１５の内部において、好適に大型のスピーカを採用できる。
【００２１】
次に、上記のように構成した本実施形態に係る遊技機１０の作用を説明する。
さて、この遊技機１０を遊技場等に設置する際には、まず外枠１１が設置枠台（図示略）上に立設された後、前枠１４、上球皿１５等の遊技機構成部材を搭載する中枠１２が外枠１１に対して組み付け整合される。このとき、第１及び第２スピーカ装置Ｓ１，Ｓ２は膨出形成された上球皿１５の内部に予め配設されるため、遊技機１０と共に持ち運びされる。従って、高品質の音声を提供するためにスピーカシステムが遊技機１０と別体にされていた従来と比較して、設置作業が簡便に行われる。
【００２２】
そして、この遊技機１０の使用状態においては、当該遊技機１０において入賞等の所定遊技状態が発生すると、図示しない音声制御基板から出力される音声制御信号に基づいて前記各スピーカ装置Ｓ１，Ｓ２から様々な効果音が再生出力される。そして、その効果音等の再生出力に際して、密閉型スピーカとして構成された第１スピーカ装置Ｓ１及びバスレフ型スピーカとして構成された第２スピーカ装置Ｓ２からは、音質の良い再生音の出力が可能とされる。
【００２３】
また、遊技機１０の裏面側のメンテナンス作業に際しては、高品質の音声出力のために、機外後方に別体構成のスピーカボックスが配設された従来と異なり、遊技機１０の前面側に位置する上球皿１５内に設けられた第１及び第２スピーカ装置Ｓ１，Ｓ２が、メンテナンス作業に支障を与えることもない。
【００２４】
ここで、スピーカの特性について説明すると、スピーカは、振動板が前に動くと正面（前面）の空気密度が高くなると同時に背面（後面）の空気密度が低くなり、反対に、振動板が後に動くと背面の空気密度が高くなると同時に正面の空気密度が低くなる。また、スピーカの正面（前面）から出る音と背面（後面）から出る音とは双方の音の位相において１８０度のずれがあり、正面からの音の位相を正相とした場合、背面からの音の位相は逆相になる。そのため、スピーカの前後の空気を隔離する構造体（バッフル板）がないと、特に高音に比して指向性の鈍い低音は、その音波がスピーカの周囲を往復するだけで前方へ進まない。その結果、そのようなスピーカでは、正面から出た正相の低音と背面から出た逆相の低音とが打ち消し合うことになり、高音ばかりが強調されて低音がはっきり聞こえないという状況を招いてしまう。
【００２５】
そこで、そのような状況を招来しないために、通常、スピーカ装置が構築される場合には、スピーカの前後の空気を隔離する構造体（バッフル板）が当該スピーカのエンクロージャとして設けられる。ここに「エンクロージャ」とはスピーカユニットが装着される構造体のことをいうが、必ずしも完全な箱体形状の構造体のみを意味しない。即ち、スピーカの正面から出た正相の低音と背面から出た逆相の低音との打ち消し合いを防ぐことが可能な構造体であれば、平板状のバッフル板や、そのようなバッフル板の角を後へ曲げた形の背面開放型キャビネット形態のものも、本明細書中における「エンクロージャ」の技術的概念には含まれるものである。そして、かかるスピーカの特性を考慮して構成された前記第１，第２スピーカ装置Ｓ１，Ｓ２は、スピーカ収容部（第１及び第２エンクロージャＥ１，Ｅ２）が箱体形状のエンクロージャ構造をなしているため、次のような機能を発揮する。
【００２６】
まず、密閉型スピーカである第１スピーカ装置Ｓ１の場合は、スピーカ２３の前後での密度の相違する空気の干渉が密閉型エンクロージャ構造をなす第１エンクロージャＥ１により完全に遮断される。従って、スピーカ２３の正面から出た正相の音と背面から出た逆相の音とが互いに打ち消し合うことはない。また、図３に示されるように、第１エンクロージャＥ１は、正面から見て横幅が広く且つ奥行きが浅い形態をしている。そのため、この第１スピーカ装置Ｓ１では、第１エンクロージャＥ１内でスピーカ２３に背面からの空気圧がかかるため、音質の良い中高音が再生出力されると共に、低音に関しても量感は少ないものの、締まりのある歯切れよい低音の再生が可能とされる。
【００２７】
一方、第２スピーカ装置Ｓ２のようなバスレフ形スピーカは、音波が空洞（つまり、エンクロージャＥ２の容積）と筒（即ち、バスレフダクト２７）で共鳴する現象を利用し、スピーカの背面からの音を空洞と筒で共鳴させることにより低音域の量感を補うようにしたスピーカである。そのため、エンクロージャ（スピーカ収容部）が密閉型エンクロージャ構造の密閉型スピーカよりも低音の量感が得やすく、低音増強用には好適なスピーカとされている。この結果、迫力ある低音の再生できる。
【００２８】
以上のことから、エンクロージャ構造をなすスピーカ収容部（第１及び第２エンクロージャＥ１，Ｅ２）を備える第１，第２スピーカ装置Ｓ１，Ｓ２からは低音域の再生が好適に行われる。また、各スピーカユニット２３，２５がそれぞれ専用のエンクロージャＥ１，Ｅ２内に個別独立して配設されているため、他のエンクロージャ内に配設されている他のスピーカユニットから再生出力される音との抵触が回避されると共に、各エンクロージャＥ１，Ｅ２内に配設されるスピーカユニット２３，２５の再生音を篭もらせることがなく、透明感のある音として高品質で再生することができる。
【００２９】
次に、前述したようなバスレフ形スピーカとして構成された前記第２スピーカ装置Ｓ２における低音再生原理に関して、以下詳細に説明する。
前述したように、スピーカの正面（前面）から出る音と背面（後面）から出る音とは双方の音の位相において１８０度のずれがあり、正面からの音の位相を正相とした場合、背面からの音の位相は逆相になる。従って、バスレフ形スピーカにおけるバスレフダクトの全長をＬとした場合、そのスピーカから発せられる音のうち波長がＬとなる周波数の音は、正面から出る音と背面から出る音とが互いに打ち消し合うため、低音増強を図ることができない。しかし、波長が２Ｌとなる周波数の音の場合は、正面から出る音と背面から出る音とが同相となるため、双方の音が互いに打ち消し合わず、低音の増強を図ることができる。
【００３０】
そこで、前記第２スピーカ装置Ｓ２では、第２エンクロージャＥ２内に形成されるバスレフダクト２７を図３に示すような延長屈折した迷路状のダクト構造をなすように構成し、まず、バスレフダクト２７の全長Ｌを長く確保できるようにしている。ちなみに、本実施形態の遊技機（パチンコ機）１０の場合、機台寸法も関係するが、図３に示すような迷路形状とすることで、そのバスレフダクト２７の全長Ｌを約０．７ｍ程度としている。また、一般に、波長が２Ｌ以下の音の場合には、２Ｌの０．７倍位の周波数までが低域再生帯域（低音の再生限界周波数）になると言われている。
【００３１】
従って、このような前提のもと、全長Ｌが０．７ｍとなるように迷路状に延長屈折させて形成された第２スピーカ装置Ｓ２のバスレフダクト２７の場合には、バスレフダクト２７の断面積とスピーカ２５の振動板面積が同一として計算すると、２Ｌの波長は１．４ｍ（＝２×０．７ｍ）となる。つまり、波長が１．４ｍの音の場合に低音の増強を図ることができることになる。そして、この場合での低音の周波数は２４３Ｈｚ（＝音速３４０ｍ／ｓｅｃ÷１．４ｍ）であるため、その低域再生帯域は１７０Ｈｚ（＝２４３Ｈｚ×０．７倍）となる。従って、このようにバスレフダクト２７を延長屈折した迷路状のダクト構造とすれば、たとえ機台寸法が小さくても、当該バスレフダクト２７の全長Ｌを長く確保できることから、第２スピーカ装置Ｓ２においては低音増強の図れる低域再生帯域をより一層低く設定できることになる。従って、より迫力のある所謂重低音を響かせることができる。
【００３２】
図４は、このような第１及び第２スピーカ装置Ｓ１，Ｓ２からなるスピーカシステムからの音響出力を測定して得られた再生音圧周波数特性ｆを表した図である。この図４において、グラフの横軸は出力される再生音の周波数（Ｈｚ）を、また、グラフの縦軸は出力される再生音の音圧レベル（ｄｂ）を、それぞれ示している。一方、図５は、従来技術のように中枠１２の前面側下部に取り付けられている通常の遊技機用スピーカシステム（比較例）における再生音圧周波数特性ｆ１を表した図である。両図に示された再生音圧周波数特性ｆ，ｆ１の各グラフを対比してみると、図５のスピーカシステムの場合には、低域再生帯域が３５０Ｈｚ程度までしかのびていないのに対し、図４の本実施形態のスピーカシステムの場合には１７０Ｈｚあたりまで低域再生帯域がのびていることが理解できる。
【００３３】
従って、上記実施形態によれば、以下のような効果を得ることができる。
（１）各スピーカ装置Ｓ１，Ｓ２においてスピーカ収容部を構成する第１及び第２エンクロージャＥ１，Ｅ２を、膨出形成された上球皿１５の中空状の内部に配設した。即ち、遊技機構成部材が多く配設された中枠１２の前面側下部における設置部位よりも、上球皿１５の内部は、スペース的な制約をそれほど受けることがない。従って、スピーカ装置Ｓ１，Ｓ２におけるスピーカユニット２３，２５には低域再生帯域が広い比較的大型のスピーカを採用することができ、各スピーカ装置Ｓ１，Ｓ２からは高音質の効果音等を再生出力することができる。
【００３４】
（２）さらに、第１スピーカユニット２３を中高音用のスピーカユニットとすると共に、第２スピーカユニット２５を中低音用のスピーカユニットとしたことにより、両スピーカ装置Ｓ１，Ｓ２により低音から中高音までの全音域に亘って高音質な再生出力ができるマルチウェイタイプのスピーカシステムとして構築できる。
【００３５】
（３）また、前記各エンクロージャＳ１，Ｓ２は、上記したように、機体の前面側に位置する上球皿１５に設けられているため、低音部の増強を図りつつも、従来とは異なり、遊技機１０の機裏側において頻繁に行われる基板交換等のメンテナンス作業に支障を与えることもない。
【００３６】
（４）また、低音を再生出力する第２スピーカユニット２５として、前面部が横長の横長型スピーカユニットを用いているため、例えば前面部が円形のスピーカユニットを用いる場合と比較して、横幅が広く正面視略長方形状の上球皿１５の内部において、好適にスピーカユニット２５の大型化を図ることができる。
【００３７】
（５）また、各スピーカ装置Ｓ１，Ｓ２では、スピーカ２３，２５の正面から出る音と背面から出る音とが打ち消し合うことを防止する構造体（バッフル板）として上球皿カバー部材３２及び区画壁２２からなるエンクロージャＥ１，Ｅ２を採用しているため、各スピーカ装置Ｓ１，Ｓ２からの低音域の再生を好適に実現できる。
【００３８】
（６）また、各スピーカ装置Ｓ１，Ｓ２は各々のスピーカ２３，２５の前面部が第１，第２音放出口１９，２０を介して、また第２スピーカの後面部がバスレフダクト２７及び第３音放出口２１を介して、それぞれ遊技機１０外部の大気と直接接触している構成とされている。従って、各スピーカ２３，２５からは再生音を篭もらせることなく、更に高音質にして再生出力できる。
【００３９】
（７）さらに、各スピーカ２３，２５の振動板やエッヂのある前面部には、各スピーカ２３，２５から発せられる音声の通過を許容する合成繊維素材からなる保護カバー２４，２６が被覆されているため、各スピーカ２３，２５の前面部を音質の低下を招くことなく好適に保護することができる。
【００４０】
（８）加えて、各スピーカユニット２３，２５がそれぞれ専用のエンクロージャＥ１，Ｅ２内に個別独立して配設されているため、他のエンクロージャ内に配設されている他のスピーカユニットから再生出力される音との抵触が回避されると共に、各エンクロージャＥ１，Ｅ２内に配設されるスピーカユニット２３，２５の再生音を篭もらせることがなく、透明感のある音として高品質で再生することができる。
【００４１】
（９）また、密閉型スピーカとして構成された第１スピーカ装置Ｓ１では、その第１エンクロージャＥ１を密閉構造とし、且つ第１エンクロージャＥ１は正面から見て横幅が広く且つ奥行きが浅い形態とした。そのため、当該第１エンクロージャＥ１内では、スピーカ２３に背面から空気圧がかかることになり、音質の良い中高音を再生出力できると共に、低音に関しても量感は少ないものの締まりのある歯切れ良い低音を再生出力することができる。
【００４２】
（１０）一方、バスレフ型スピーカとして構成された第２スピーカ装置Ｓ２では、第２エンクロージャＥ２の内部に第３音放出口２１に連なるバスレフダクト２７が形成されている。そのため、当該バスレフダクト２７内及び第２エンクロージャＥ２内でスピーカ２５の背面から出た音を共鳴させて低音域の量感を補うことができ、迫力ある低音の再生ができる。
【００４３】
（１１）しかも、そのバスレフダクト２７は延長屈折した迷路状のダクト構造をなしているため、機台寸法に制約のある遊技機１０であっても、バスレフダクト２７の全長を長く確保できる。従って、バスレフ型スピーカにあって低音増強の図れる低域再生帯域をより一層低域までのばすことができ、より迫力のある所謂重低音を響かせることができる。
【００４４】
（第２実施形態）
次に、本発明の第２実施形態を図６及び図７に従って説明する。なお、この第２実施形態は第２スピーカ装置Ｓ２における第２エンクロージャＥ２の具体的構成においてのみ第１実施形態と相違するものであり、その他の構成は第１実施形態の場合と同じである。従って、以下の説明においては、第１実施形態との相違部分を中心に説明することとし、その他の部分については第１実施形態と同一の符号を付すことにより重複した説明は省略する。
【００４５】
さて、本実施形態に係る遊技機１０は、上球皿１５における中空状の内部に、図６に示すように、密閉型スピーカとして構成された第１スピーカ装置Ｓ１と、バスレフ型スピーカとして構成された第２スピーカ装置Ｓ２とを備えている。各スピーカ装置Ｓ１，Ｓ２は、上球皿カバー部材３２の裏側に区画壁２２により形成された各エンクロージャＥ１，Ｅ２をスピーカ収容部とし、第１エンクロージャＥ１内には中高音用スピーカユニットである第１スピーカが配設され、第２エンクロージャＥ２内には、中低音用スピーカユニットである第２スピーカ２５が配設されている。この第２スピーカ２５は、前面部が横長の横長型スピーカユニットとされている。なお、図６には図示されていないが、上球皿カバー部材３２における各スピーカ２３，２５の前面部と対応する位置には第１音放出口１９と第２音放出口２０が形成されている。
【００４６】
第２スピーカ装置Ｓ２の第２エンクロージャＥ２内において、上球皿カバー部材３２の裏面側には、当該上球皿カバー部材３２の左右方向長さをほぼ二等分する箇所から筒状をなすバスレフダクト２７が突設されている。そして、図示はしないが、前記上球皿カバー部材３２におけるバスレフダクト２７と対応する位置にはバスレフポートとして機能する第３音放出口２１が形成されている。また、第２エンクロージャＥ２の容量は低音再生のための適正容量となるように設計されている。そして、このように構成された第２スピーカ装置Ｓ２からの音響出力を測定してみると、図７に示すような再生音圧周波数特性ｆのグラフとなり、低域再生帯域は１７０Ｈｚ程度まで及んでいる。従って、本実施形態においては前記第１実施形態における（１）〜（１０）の各効果と同様の効果を奏する。
【００４７】
（第３実施形態）
次に、本発明の第３実施形態を図８及び図９に従って説明する。なお、この第３実施形態についても前述した第１実施形態と相違する部分を中心に説明することとし、その他の部分については第１実施形態と同一の符号を付すことにより重複した説明は省略する。
【００４８】
さて、本実施形態に係る遊技機１０は、上球皿１５における中空状の内部に、図８に示すように、バスレフ型スピーカとして構成されたスピーカ装置Ｓを備えている。このスピーカ装置Ｓは、上球皿カバー部材３２の裏側に区画壁２２により形成されたエンクロージャＥをスピーカ収容部として、そのエンクロージャＥ内に第１スピーカユニット２３と第２スピーカユニット２５とを配設している。第１スピーカユニット２３はコーン形の中高音用スピーカユニットとされ、第２スピーカユニット２５は、前面部が横長であるコーン形の中低音用スピーカユニットとされている。また、エンクロージャＥ内においては、前記第２スピーカユニット２５が中央に配置される一方、前記第１スピーカユニット２３が正面から見て右側寄りに配置されている。そして、図示はしないが、上球皿カバー部材３２における第１スピーカユニット２３の前面部と対応する位置には第１音放出口１９が形成されると共に、第２スピーカユニット２５の前面部と対応する位置には第２音放出口２０が形成されている。なお、前記第１及び第２スピーカユニット２３，２５の前面部には合成繊維素材からなる保護カバー２４、２６が被覆されている。
【００４９】
また、本実施形態では、前記エンクロージャＥ内において、上球皿カバー部材３２の裏面側には、当該上球皿カバー部材３２の左右両端の近傍箇所から、区画壁２２の内面に沿って屈曲した筒状をなすバスレフダクト２７が左右それぞれ設けられている。この両バスレフダクト２７は、その内端部が互いに向き合うように形成されている。そして、図示はしないが、前記上球皿カバー部材３２における各バスレフダクト２７と対応する位置にはバスレフポートとして機能する第３音放出口２１が各々形成されている。また、エンクロージャＥの容量は低音再生のための適正容量となるように設計されている。そして、このように構成されたスピーカ装置Ｓからの音響出力を測定してみると、図９に示すような再生音圧周波数特性ｆのグラフとなり、低域再生帯域は１７０Ｈｚ程度まで及んでいる。
【００５０】
従って、本実施形態においては前記第１実施形態における（１）〜（７）の各効果に加えて以下の効果を奏す。
（１）エンクロージャＥの内部に第３音放出口２１に連なるバスレフダクト２７が形成されているため、当該バスレフダクト２７内及びエンクロージャＥ内でスピーカ２３，２５の背面から出た音を共鳴させて低音域の量感を補うことができ、迫力ある低音の再生ができる。
【００５１】
なお、上記各実施形態は以下のような別例に変更して具体化してもよい。
・  前記各実施形態では、各スピーカユニット２３，２５の前面部を保護カバー２４，２６により覆っていたが、このようなカバー２４，２６は必ずしもなくてよい。
【００５２】
・  前記各実施形態では、上球皿カバー部材３２に形成される第１，第２音放出口１９，２０を多数の小孔にて構成したが、第１，第２スピーカユニット２３，２５の前面部を直接大気に接触できるならば、各音放出口１９，２０の形成態様は小孔に限らない。また、バスレフポートとして機能する第３音放出口２１の形成態様についても同様である。
【００５３】
・  前記第１実施形態では、第２エンクロージャＥ２内に形成されるバスレフダクト２７を延長屈折した迷路状のダクト構造をなすように形成したが、そのダクト構造を図１０に示すように形成し、所謂バックロードホーン型のバスレフダクト２７に構成してもよい。即ち、当該バスレフダクト２７の幅員がバスレフポートたる第３音放出口２１（図１０では図示略）に近づくほど増加するホーン状のダクト構造にしてもよい。このようにバスレフダクト２７を構成すれば、低音域の能率を良くし、所謂歯切れの良い音を再生出力することができる。
【００５４】
・  前記各実施形態では、第１スピーカユニット２３と第２スピーカユニット２５が共に上球皿１５における中空状の内部に設けられていたが、当該上球皿１５の内部には図１１に示すように第２スピーカユニット２５のみを配設するようにしてもよい。即ち、中高音用の第１スピーカユニット２３に関しては、機体における他の部位、例えば従来と同様に中枠１２の前面側下部等に配設するようにしてもよい。この場合、中枠１２の前面側下部にスピーカ収容部が設けられ、当該中枠１２の前面側下部が所定部位に相当する。
【００５５】
・  前記第１，第２実施形態では、上球皿１５内において、区画壁２２により２つのエンクロージャＥ１，Ｅ２を形成していたが、図１２に示すように、３つのエンクロージャＥ１〜Ｅ３を形成してもよい。即ち、各エンクロージャＥ１〜Ｅ３毎に低音用スピーカユニット４１、中音用スピーカユニット４２、高音用スピーカユニット４３を個別に配設して各スピーカ装置Ｓ１〜Ｓ３を構成してもよい。この場合には、各エンクロージャＥ１〜Ｅ３が各音域専用のエンクロージャとされ、夫々の音域における再生音を高品質に保つことができる。なお、図１２において各スピーカ４１〜４３の前面部は保護カバー４４〜４６で覆われているが、必ずしも各カバー４４〜４６はなくてもよい。また、１つのエンクロージャ内に配設されるスピーカユニットの数は１つに限定されない。
【００５６】
・  前記第１，第２実施形態では、区画壁２２により２つのエンクロージャＥ１，Ｅ２を形成したが、前記区画壁２２を設けずに、上球皿１５の内部全体を皿部材３１、上球皿カバー部材３２、保持板３３、底板３４で囲まれたエンクロージャとして、複数のスピーカ（第１，第２スピーカ２３，２５）を収容させてもよい。また、第３実施形態においても、区画壁２２を取り除いてもよい。このようにした場合、上球皿１５の内部全体がスピーカ収容部に相当する。
【００５７】
・  前記第１，第２実施形態では第１エンクロージャＥ１内に中高音用の第１スピーカユニット２３を配設していたが、当該第１エンクロージャＥ１内に低音用のスピーカユニットを更に加えて配設してもよい。また、第２エンクロージャＥ２内に中低音用の第２スピーカユニットを配設していたが、第２スピーカユニットを低音用のスピーカユニットとしてもよい。
【００５８】
・  前記第３実施形態では、中高音用の第１スピーカ２３と中低音用の第２スピーカ２５との組み合わせでマルチウェイタイプのスピーカシステムを構成したが、図１３に示すように、低音用のスピーカ４１と中音用のスピーカ４２及び高音用のスピーカ４３をエンクロージャＥ内に配設することでマルチウェイタイプのスピーカシステムを構成してもよい。なお、図１３において各スピーカ４１〜４３の前面部は保護カバー４４〜４６で覆われているが、必ずしも各カバー４４〜４６はなくてもよい。
【００５９】
・  前記各実施形態では、第１及び第２エンクロージャＥ１，Ｅ２，Ｅ内に配設されるスピーカユニット２３，２５は、コーン形のスピーカユニットであったが、平板状をなす平面形スピーカユニットを用いてもよい。平面形のスピーカユニットはコーン形のスピーカユニットと比較して設置スペースを必要としないため、スピーカ装置Ｓ１，Ｓ２，Ｓのコンパクト化を図ることができる。
【００６０】
・  前記各実施形態では、中低音用のスピーカユニット２５として、前面部が横長であるコーン形の中低音用スピーカユニットを用いたが、前面部が円形のコーン形スピーカユニットを用いてもよい。
【００６１】
・  前記各実施形態では、エンクロージャＥ１，Ｅ２，Ｅ内にバスレフダクト２７を形成したが、このようなバスレフダクト２７は必ずしも設けなくてもよい。この場合、第３音放出口２１も必要なくなる。
【００６２】
次に、上記実施形態及び各別例から把握できる技術的思想について以下に記載する。
（１）少なくとも前記低音用スピーカユニットは、平板状をなす平面形スピーカユニットとされている遊技機用スピーカシステム。
【００６３】
【発明の効果】
以上詳述したように、本発明によれば、遊技機における機裏側のメンテナンス作業に支障を与えることなく、当該遊技機が備えるスピーカ装置の高音質化を図ることができる。
【図面の簡単な説明】
【図１】スピーカシステムが搭載されるパチンコ遊技機の正面図。
【図２】上球皿を示す平面図。
【図３】第１実施形態のスピーカシステムの概略平断面図。
【図４】そのスピーカシステムの再生音圧周波数特性を表したグラフ。
【図５】従来技術に相当する比較例の再生音圧周波数特性を表したグラフ。
【図６】第２実施形態のスピーカシステムの概略平断面図。
【図７】そのスピーカシステムの再生音圧周波数特性を表したグラフ。
【図８】第３実施形態のスピーカシステムの概略平断面図。
【図９】そのスピーカシステムの再生音圧周波数特性を表したグラフ。
【図１０】第１実施形態の別例のスピーカシステムの概略平断面図。
【図１１】第１実施形態の他の別例のスピーカシステムの概略平断面図。
【図１２】第１実施形態の更に他の別例のスピーカシステムの概略平断面図。
【図１３】第３実施形態の別例のスピーカシステムの概略平断面図。
【符号の説明】
１０…遊技機、１５…上球皿、１９，２０…第１及び第２音放出口、２５…第２スピーカユニット（低音用スピーカユニット）、２４，２６…保護カバー、Ｅ１，Ｅ２…第１及び第２エンクロージャ（スピーカ収容部）。
【図１】
0004936617.tif 000002
【図２】
0004936617.tif 000003
【図３】
0004936617.tif 000004
【図４】
0004936617.tif 000005
【図５】
0004936617.tif 000006
【図６】
0004936617.tif 000007
【図７】
0004936617.tif 000008
【図８】
0004936617.tif 000009
【図９】
0004936617.tif 000010
【図１０】
0004936617.tif 000011
【図１１】
0004936617.tif 000012
【図１２】
0004936617.tif 000013
【図１３】
0004936617.tif 000014